(57)【要約】【目的】一定時間に外部からのエネルギ−を光ファイバ内に蓄積し、スイッチングによりエネルギ−を瞬間的に開放して大きなパルス光を発生させる光ファイバレーザ装置を提供する。【構成】増幅用光ファイバ１を含めてリング状に構成した光ファイバの両端を，２入力２分岐双方向光スイッチ４の対向するポートＡ，Ｃにつなぎ，他のＢ，Ｄポートから出力する。合波器３から励起光を入力し、光ファイバ１を励起する。光スイッチ４のポート間結合を瞬時にＡ，Ｄ間が結合するように切り換える。ポートＡからの帰還光はファイバ１に入力されるが、ポートＣからの帰還光は光アイソレータに阻止される。よって、一方の帰還光のみがファイバ１にて誘導放出を起こして増幅され、励起状態の全エネルギーが増幅に寄与した非常に大きな光パルスを得ることが出来る。【選択図】　　　　　図１
2004014855.tif 000002
【特許請求の範囲】
【請求項１】
ある波長範囲で光増幅作用を持つ増幅用光ファイバと、吸収波長範囲に含まれるポンピング光を発生するポンピング光源と、ポンピング光を光ファイバに入射させる合波器と、２入力２分岐双方向光スイッチと、光スイッチ駆動回路を含み、
前記増幅用光ファイバと前記光スイッチと前記合波器が閉曲線を構成するように接続され、
前記光スイッチの対向するポートであるポートＡとポートＣが前記閉曲線の構成に使われ、他のポートＢ、ポートＤは光出力取出しポートとし、前記光スイッチ駆動回路により前記光スイッチの光分岐比を変えることにより大部分の時間はポートＡとポートＣが結合せず、ある短い時間だけポートＡとポートＣが結合するようにして、パルス光をポートＢ、ポートＤに出力するようにした、光ファイバレーザ装置であって、
前記閉曲線を構成する光回路の一部に光アイソレータを有することにより、閉曲線に構成された光ファイバ内を伝播する一方向の光を、他の方向の光よりも大きく増幅することを特徴とする光ファイバレーザ装置。
【請求項２】
ある波長範囲で光増幅作用を持つ増幅用光ファイバと、吸収波長範囲に含まれるポンピング光を発生するポンピング光源と、ポンピング光を光ファイバに入射させる合波器と、２入力２分岐双方向光スイッチと、光スイッチ駆動回路を含み、
前記増幅用光ファイバと前記光スイッチと前記合波器が閉曲線を構成するように接続され、
前記光スイッチの対向するポートであるポートＡとポートＣが前記閉曲線の構成に使われ、他のポートＢ、ポートＤは光出力取出しポートとし、前記光スイッチ駆動回路により前記光スイッチの光分岐比を変えることにより大部分の時間はポートＡとポートＣが結合せず、ある短い時間だけポートＡとポートＣが結合するようにして、パルス光をポートＢ、ポートＤに出力するようにした、光ファイバレーザ装置であって、
前記ポートＡから前記増幅用光ファイバの一端までの距離よりも、前記ポートＣから前記増幅用光ファイバの他端までの距離を長く構成することにより、閉曲線に構成された光ファイバ内を伝播する一方向の光を、他の方向に伝播する光よりも大きく増幅することを特徴とする光ファイバレーザ装置。
【請求項３】
ポートＡから増幅用光ファイバの一端までの距離と、ポートＣから増幅用光ファイバの他端までの距離の差は、増幅用光ファイバの長さ以上であることを特徴とする、請求項２に記載の光ファイバレーザ装置。
【発明の詳細な説明】
【０００１】
【産業上の利用分野】
本発明は、パルスレーザ方式の距離測定などの計測等に利用できる光ファイバレーザ装置に関する。
【０００２】
【従来の技術】
光ファイバレーザは、活性媒質を含む光ファイバに、ポンピング光を軸方向に入射して光を増幅するものである。ポンピングによる活性媒質の準位間の逆転分布を利用し、誘導放出を起こさせ位相を揃えるために共振器を必要とする点でガスレーザや固体レーザと同じ原理を有する。
【０００３】
シングルモ−ドファイバに活性イオンを分布させて、一方から励起光（ポンピング光）を入れると、光はシングルモ−ドファイバのコアの全体に広がるが、コアが極めて細いので、イオンとの衝突確率が格段に高いために効率の高い励起を行なうことができる。活性イオンとしてはＥｒ　３＋　イオンが多く用いられており、Ｅｒレーザやレーザの原理については例えば次のような文献がある。
・Ｆ．Ｓｅｕｉｎ　ａｎｄ　Ｔ．Ｏｌｅｓｋｅｖｉｃｈ，”Ｄｉｏｄｅ−ｐｕｍｐｅｄ　Ｑ−ｓｗｔｉｃｈｅｄ　ｆｉｂｅｒ　ｌａｓｅｒ”　Ｏｐｔ．Ｅｎｇｉｎｅｅｒｉｎｇ，　ｖｏｌ．３２（９），　２０３６−２０４１　（１９９３）
・Ａ．Ｃｈａｎｄｏｎｎｅｔ　ａｎｄ　Ｇ．Ｌａｒｏｓｅ，”Ｈｉｇｈ　Ｐｏｗｅｒ　Ｑ−ｓｗｉｔｃｈｅｄ　ｅｒｂｉｕｍ　ｆｉｂｅｒ　ｌａｓｅｒ　ｕｓｉｎｇ　ａｎ　ａｌｌ−ｆｉｂｅｒ　ｉｎｔｅｎｓｉｔｙ　ｍｏｄｕｌａｔｏｒ”　Ｏｐｔ．Ｅｎｇｉｎｅｅｒｉｎｇ，　　ｖｏｌ．３２（９），　２０３１−２０３５　（１９９３）
【０００４】
従来の光ファイバレーザ装置の多くは、従来のガスレーザや固体レーザ、半導体レーザと同じ思想に立ち、光を増幅させるための共振器を構成するために光ファイバの両端に反射ミラーを設けていた。一方は１００％反射ミラーで、もう一方は幾らかの光を外部に取り出すために部分ミラーとする。部分透過ミラーとして用いられる誘電体多層膜ミラーは高価であり、また製造工程での条件のばらつきや環境温度のばらつきにより活性媒質である光ファイバのゲイン、損失が変動するなどの課題があった。
【０００５】
さらに、Ｑスイッチによりパルス光を発生させるパルス発振レーザの場合は、Ｑスイッチを行なうために共振器の途中に光スイッチを挿入しなければならない。そこでパルス発振レーザを光ファイバレーザとして構成する場合には特有の困難があった。すなわち、一般的にエルビウムド−プ、ネオジウムドープ光ファイバなどを使用する光ファイバレーザ装置はゲインが非常に高いために、光スイッチを遮断状態にしても、一方の反射ミラーとの間で部分的な共振器が形成されて光ファイバの中に僅かな帰還光が常時存在し、部分的な発振が常時起ることでエネルギ−が浪費されていた。つまり十分に大きいピ−ク値のパルス光を得ることができなかった。
【０００６】
これらの解決のため本願出願人らはミラーによる共振器を持たないリング状の光ファイバレーザ装置を開発し、特開平７−２３１１３１号公報にこれを開示している。
【０００７】
このリング状の光ファイバレーザ装置は反射ミラーを用いず、従来のレーザのように反射鏡による往復光共振器構造を取らない。増幅作用を持つ光ファイバの両端を、電気入力により分岐比の変えられる２入力２分岐双方向光スイッチの対向するポートである２つのポートに接続し、残りの２つのポートから出力光を取り出す。光ファイバの途中に合波器を設けてポンピング光源からのポンピング光をファイバ中に導入し、光は往復せず閉曲線を周回する。
【０００８】
２入力２分岐双方向光スイッチというのは２つの入力と２つの出力を持ち、入力のいずれかの光を分配して出力に取り出せる光スイッチである。リング状光ファイバレーザ装置ではこれを双方向に使う。つまり出力の何れの光をも分配して入力の各ポートに取り出せるようにしており入力出力について双方向的である。入力のポートをポートＡ、Ｂとし、出力の分岐をポートＣ、ポートＤとするとポートＢの光が、ポートＣ、ポートＤに分配される。反対にポートＣの光が、ポートＡ、Ｂに分配される。双方向的であるから入力出力という用語は不適切である。そこで同方向にあり光が連続して伝搬しないふたつのポートを、同極ポートと呼ぶ。対向方向にあり光が連続て通過するポートを異極ポート（対向ポート）とよぶ。ポートＢとポートＣは異極ポート（対向ポート）であり、ポートＣとポートＤは同極ポートである。２入力２分岐双方向光スイッチは２組の同極ポートを持つ光スイッチである。
【０００９】
図３はリング状光ファイバレーザ装置の原理構成図である。これは光増幅作用を持つ増幅用光ファイバ１、ポンピング光源２、合波器３、２入力２分岐双方向光スイッチ４、光スイッチ駆動回路５などを含む。増幅用光ファイバ１は、活性イオンをド−プした光ファイバである。ポンピング光源２は、半導体レーザが一般に用いられるが他のレーザでもよい。合波器３は光ファイバに接続され、ポンピング光源２からの光を、光ファイバのコアの中に導入するものである。それぞれの部品は、それぞれシングルモード光ファイバを用いて接続されている。
【００１０】
結合比を適当に設定することにより合波器の孤立端にはポンピング光も発振光も殆ど出ないようにしてある。２入力２分岐双方向光スイッチ４はふたつの同極ポートを持ち、異極ポート（対向ポート）間では光を連続して通すことができるようになっている。ポートＡ、ポートＢが一方にあり、ポートＣ、ポートＤが他方にある。全体をリング状に構成する光ファイバの両端は、２入力２分岐双方向光スイッチの異極ポートに接続する。残りの二つのポートからレーザ出力を双方向に取り出す。図３では、光ファイバの端部を、２入力２分岐双方向光スイッチのポートＣとポートＡに接続しており。ポートＤ、ポートＢからレーザ出力を取り出している。異極ポートから与えられた光の、同極ポート間での分配比は、光スイッチ駆動回路５からの電気入力によって制御できる。
【００１１】
増幅用光ファイバには、増幅作用を持つ光ファイバ：稀土類元素（Ｎｄ、Ｅｒなど）を添加した石英ファイバや、有機色素（ロ−ダミン６Ｇなど）を添加したプラスチックファイバなどが適用できる。また、２入力２分岐双方向光スイッチとしては、音響光学素子（Ａ／Ｏ素子）、バランスブリッジ型光変調器、内部全反射（ＴＩＲ）スイッチ、ブラッグ回折型スイッチなどが利用できる。
【００１２】
ここで、光スイッチの分配比を固定すると、一定の出力の連続レーザ光を得ることができ、分配比を瞬間的に変えると大出力のパルス発振をさせることができる。以下パルス発振について説明する。大部分の時間は、光ファイバの両端が結合しない状態（非結合）にしエネルギ−を貯めておき、瞬間的にファイバの両端を結合して光路が閉曲線になるようにする。これによりＱスイッチ動作を行なうことができる。
【００１３】
図４はリング状Ｑスイッチ光ファイバレーザ装置の概略構成図である。光ファイバの両端は、２入力２分岐双方向光スイッチ４のポートＡと、ポートＣに接続される。ポートＤ、ポートＢは光の出力ポートになる。ポンピング光源２の励起光は合波器３により光ファイバに入る。光スイッチ駆動回路５は、ポート間の結合比を変化させる。大部分の時間は、ポートＣがポートＢに、ポートＡがポートＤに接続されるような結合比でポート間が結合され、光路が閉ル−プをなさないのでレーザ発振をしない。この間に励起光の作用により増幅用光ファイバ１の中に反転分布が増大してゆく。ある瞬間だけ２入力２分岐双方向光スイッチの、ポートＡとポートＣを結合させると、誘導放出が起こり、瞬間的に強いレーザ発振が起こる。すなわち増幅用光ファイバ中の反転分布が一挙に消滅し、強いパルス光が発生して発振が停止する。その後再びポートＡとＤ、ポートＢとＣを結合させると、ポンピング光により反転分布が増えてゆきエネルギ−が蓄積される。これを繰り返してパルス光を間欠的に得ることが可能となる。
【００１４】
【発明が解決しようとする課題】
図４のリング状Ｑスイッチ光ファイバレーザ装置において、瞬間的に光スイッチの結合比を変えてポートＡとポートＣを結合させ、閉ループを構成した際に、ポートＡからポートＣの方向に伝播する帰還光とポートＣからポートＡの方向に伝播する帰還光は、増幅用光ファイバにそれぞれ逆方向に入力されて誘導放出を起こし、それぞれが増幅されたパルス光を形成する。
【００１５】
この状態を模式的に図５にて説明する。図５はリング状Ｑスイッチ光ファイバレーザ装置の内の増幅用光ファイバの部分のみを示している。図５（ａ）は増幅用光ファイバが十分に励起状態にある状態で、両端から帰還光（帰還光Ａと帰還光Ｃと表す）が入る瞬間を示す。２入力２分岐双方向光スイッチ４のポートＡから増幅用光ファイバ１の一方端までの光の伝搬する距離と、ポートＣから増幅用光ファイバの他方端までの光の伝搬する距離は、ほぼ等しいので、それぞれの光は増幅用光ファイバの両端にほぼ同時に到達する。図では励起状態にある部分であることをハッチングにて示す。帰還光Ａと帰還光Ｃは励起された光ファイバ中で誘導放出を起こして増幅されながら進む（図５（ｂ））。しかし、図５（ｃ）のようにそれぞれの光が増幅用光ファイバの中央を通過すると、その先の増幅用光ファイバは、すでに他方の帰還光によって誘導放出を起こしており、十分に励起された状態では無くなっているため、それ以上の大きな誘導放出が得られない。そればかりか、励起状態にない増幅用光ファイバを通過することにより、エネルギーを吸収されてパルスエネルギーを失うことになる。即ち、この構成においては双方向から２つの光パルスが取り出されることになり、１つのパルスには、増幅用光ファイバのうち半分の長さに相当する励起エネルギーのみが寄与すると共に、増幅用光ファイバの残り半分の長さの減衰を受けてしまうために、励起エネルギーを最大限取り出した大きなパルスを得ることができないのである。
【００１６】
本発明は、上記の課題を解決し、増幅用光ファイバ全体の励起エネルギーを一つのパルスとして取り出すための光ファイバレーザ装置を構成することを目的とするものである。
【００１７】
【課題を解決するための手段および発明の効果】
前記目的を達成するため、本発明の光ファイバレーザ装置は、ある波長範囲で光増幅作用を持つ増幅用光ファイバと、吸収波長範囲に含まれるポンピング光を発生するポンピング光源と、ポンピング光を光ファイバに入射させる合波器と、２入力２分岐双方向光スイッチと、光スイッチ駆動回路を含み、前記増幅用光ファイバと前記光スイッチと前記合波器が閉曲線を構成するように接続され、前記光スイッチの対向するポートであるポートＡとポートＣが前記閉曲線の構成に使われ、他のポートＢ、ポートＤは光出力取出しポートとし、前記光スイッチ駆動回路により前記光スイッチの光分岐比を変えることにより大部分の時間はポートＡとポートＣが結合せず、ある短い時間だけポートＡとポートＣが結合するようにして、パルス光をポートＢ、ポートＤに出力するようにした、光ファイバレーザ装置であって、前記閉曲線を構成する光回路の一部に光アイソレータを有することにより、閉曲線に構成された光ファイバ内を伝播する一方向の光を、他の方向の光よりも大きく増幅することを特徴とする光ファイバレーザ装置とした（構成１）。
【００１８】
光アイソレータは増幅用光ファイバから放出される波長の光を一方向にのみ通過させ、逆方向の通過を阻止する働きを持つ。よって、この構成により、当該波長の光は形成された閉回路内を１つの方向にのみ伝播できるようになり、瞬間的に光スイッチの結合比を変えて閉ループを構成した際に、増幅用光ファイバに１方向のみに伝播しながら誘導放出を起こすため、前述のような課題を起こさず、増幅用光ファイバの全長に亘って励起されたエネルギーを、一方向に伝播する単一のパルスによって誘導放出させることができるのである。さらに、増幅されたパルスは前述の課題のように既に励起状態にない増幅用ファイバを通過することがないので、吸収による無駄な減衰を生じることもない。即ち、この構成においては励起エネルギーを最大限取り出した大きな単一パルスを得ることができるのである。
【００１９】
また、別な構成として、ある波長範囲で光増幅作用を持つ増幅用光ファイバと、吸収波長範囲に含まれるポンピング光を発生するポンピング光源と、ポンピング光を光ファイバに入射させる合波器と、２入力２分岐双方向光スイッチと、光スイッチ駆動回路を含み、前記増幅用光ファイバと前記光スイッチと前記合波器が閉曲線を構成するように接続され、前記光スイッチの対向するポートであるポートＡとポートＣが前記閉曲線の構成に使われ、他のポートＢ、ポートＤは光出力取出しポートとし、前記光スイッチ駆動回路により前記光スイッチの光分岐比を変えることにより大部分の時間はポートＡとポートＣが結合せず、ある短い時間だけポートＡとポートＣが結合するようにして、パルス光をポートＢ、ポートＤに出力するようにした、光ファイバレーザ装置であって、前記ポートＡから前記増幅用光ファイバの一端までの距離よりも、前記ポートＣから前記増幅用光ファイバの他端までの距離を長く構成することにより、閉曲線に構成された光ファイバ内を伝播する一方向の光を、他の方向に伝播する光よりも大きく増幅することを特徴とする光ファイバレーザ装置とした（構成２）。
【００２０】
この構成では構成１とは異なり、閉回路内を光が双方向に伝播する。よって、瞬間的に光スイッチの結合比を変えて閉ループを構成した際に、従来のリング状光ファイバと同様に、帰還光が双方向から増幅用光ファイバに入射されることになる。しかし、光スイッチのポートから増幅用光ファイバまでの距離を同一にしないことにより、ポートＣから伝播しながら誘導放出を起こすパルスと、ポートＡから伝播しながら誘導放出を起こすパルスにそれぞれ寄与する増幅用光ファイバの長さを異ならせ、結果として双方向に異なる強度のパルス光を取り出すことが可能となる。それぞれのパルス光強度の比は、距離の選択により任意に選択可能である。
【００２１】
さらに、ポートＡから増幅用光ファイバの一端までの距離と、ポートＣから増幅用光ファイバの他端までの距離の差を、増幅用光ファイバの長さ以上とすれば、一方向からの光によって励起状態の増幅用光ファイバに蓄積されたエネルギーを放出した後に逆方向から帰還光が増幅用光ファイバに入射されることになり、一方向に励起エネルギーを最大限取り出した大きな単一パルスを得ることができるのである。
【００２２】
【発明の実施の形態】
（構成１）
図１に本発明の構成例の一つを示す。リング状Ｑスイッチ光ファイバレーザ装置としての構成は、図４にて説明したものと同様であり、基本的なパルス発振の動作も同じである。異なる点は、リング状に構成された光ファイバの一部に光アイソレータ７を挿入したことである。光アイソレータは、特定の波長の光について、一方向には通すが逆方向には通さない性質をもつ光部品である。材料の違いや適用波長、アイソレーションの程度などの性能の違いにより、さまざまなものが市販されているが、本発明への適用可能性については、波長等の性能を適切に選択さえすれば特に限定されることはない。図１ではポートＡからポートＣへ向かう方向の光は通すが、逆の方向へは阻止する向きに光アイソレータを挿入している。
【００２３】
光ファイバの両端は、２入力２分岐双方向光スイッチ４のポートＡと、ポートＣに接続される。ポートＤ、ポートＢは光の出力ポートになる。ポンピング光源２の励起光は合波器３により光ファイバに入る。２入力２分岐双方向光スイッチ４には超音波回折格子を応用した音響光学素子を用いることが好ましい。光スイッチ駆動回路５は、音響光学素子に与える電気信号を変化させることにより、音響光学素子内の一次回折光強度を変化させるなどによってポート間の結合を変化させるものである。光スイッチ駆動回路による制御によって、大部分の時間は、ポートＣがポートＢに、ポートＡがポートＤに接続されるように結合され、光路が閉ル−プをなさないのでレーザ発振をしない。この間に励起光の作用により増幅用光ファイバ１の中に反転分布が増大してゆく。ある瞬間だけ２入力２分岐双方向光スイッチの、ポートＡとＣを結合させると、誘導放出が起こり、瞬間的に強いレーザ発振が起こる。すなわち増幅用光ファイバ中の反転分布が一挙に消滅し、強いパルス光が発生して発振が停止する。その後再びポートＡとＤ、ポートＢとＣを結合させると、ポンピング光により反転分布が増えてゆきエネルギ−が蓄積される。これを繰り返してパルス光を間欠的に得ることが可能となる。
【００２４】
ここで、瞬間的に光スイッチの結合比を変えて閉ループを構成した際に、ポートＡからポートＣの方向に伝播する帰還光は、光アイソレータ７に阻止されて増幅用光ファイバ１には入力されない。ポートＣからポートＡの方向に伝播する帰還光は増幅用光ファイバに入力されて誘導放出を起こし、増幅されたパルス光を形成する。
【００２５】
つまり、図５を参照しながら説明すると、図５において帰還光Ｃが存在しないことになる。従って、帰還光Ａは、図５（ａ）から（ｂ）、そして（ｃ）の状態まで進んだ後にも、さらに増幅を続けながら進むことが出来るのである。つまり、帰還光Ｃが無いために図５（ｃ）での右半分が励起状態で残っており、この区間においても誘導放出を起こして増幅されるのである。よって、１つのパルスに増幅用光ファイバの全長に相当する励起エネルギーが寄与し、一つの大きなパルスとして取り出すことが可能となるのである。
【００２６】
なお、以上の説明では光アイソレータのアイソレーションが完全であることを前提に説明したが、一般にはごく僅かな光は光アイソレータの逆方向に通過する場合がある。ごく僅かに帰還光Ｃが存在する場合であっても、図５において帰還光Ａが帰還光Ｃに比べて極めて大きい場合には、励起状態の大部分のエネルギーが帰還光Ａの増幅に寄与できるため、実用的には同様の効果を得ることが出来る。光アイソレータのアイソレーションは大きいほど好ましく、現在市販されている光アイソレータの性能を考慮すると、４０ｄＢ以上、より好ましくは６０ｄＢ以上であることが望ましい。
【００２７】
（構成２）
図２は本発明の別な構成例を示したものである。装置全体の構成は図１と同様であり、図１の光アイソレータ７を遅延用光ファイバ８に置き換えている。この構成において、遅延用光ファイバを除いた場合の、２入力２分岐双方向光スイッチ４のポートＡから増幅用光ファイバ１の一方端までの光の伝搬する距離と、ポートＣから増幅用光ファイバの他方端までの光の伝搬する距離は、ほぼ等しい。遅延用光ファイバは、帰還光Ｃが増幅用光ファイバ１に入力される時間を遅延させる目的で設けられるものであり、光ファイバの種類や特に限定されないが、一般には他の部品を接続しているものと同様のシングルモード光ファイバを使用すればよい。
【００２８】
この構成での動作の特徴を説明する。図１の場合と同様の動作により瞬間的に光スイッチの結合比を変えて閉ループを構成した際に、ポートＡからポートＣの方向に伝播する帰還光は、遅延用光ファイバ８を伝搬した後に増幅用光ファイバ１に入力される。従って、このような経路を通らない帰還光Ａが増幅用光ファイバの一方端に入力される時刻よりも、遅延用光ファイバの長さに応じた伝搬時間分だけ遅れて帰還光Ｃが増幅用光ファイバ１の他方端に入力されることになる。この場合の増幅動作を再び図５を参照しながら説明する。図５（ａ）において帰還光Ａが増幅用光ファイバの左端に入力されるとき、帰還光Ｃは、未だ右端には到達していないことになる。そして、帰還光Ａが、図５（ａ）から（ｂ）のように伝搬し、誘導放出を伴って増幅されてゆく間に、遅れて、帰還光Ｃが増幅用光ファイバの右端に到達するのである。したがって、帰還光Ａと帰還光Ｃは図５（ｃ）のように増幅用光ファイバのほぼ中央にて交錯するのではなく、帰還光Ｃが遅れた分だけ中央よりも図の右側で交錯することになる。これから判るように、帰還光Ａが通過する励起状態の区間長が、帰還光Ｃが通過する励起状態の区間よりも長いことになり、結果として、帰還光Ａの増幅の程度が帰還光Ｃの増幅の程度よりも大きいことになるのである。
【００２９】
遅延用光ファイバ８の長さによって遅れ時間が調整できるため、任意の比率で帰還光Ａと帰還光Ｃによるそれぞれのレーザパルス強度比を得ることが可能となる。遅延用光ファイバの長さを増幅用光ファイバの長さ以上とすれば、帰還光Ａによって励起状態の増幅用光ファイバに蓄積されたエネルギーをほぼ全て放出した後に逆方向から帰還光Ｃが増幅用光ファイバに入射されることになり、一方向に励起エネルギーを最大限取り出した大きな単一パルスを得ることができるのである。
【図面の簡単な説明】
【図１】本発明の光ファイバレーザ装置を示す構成図。
【図２】本発明の別な光ファイバレーザ装置を示す構成図。
【図３】従来例のリング状光ファイバレーザ装置の基本構成を示す図。
【図４】従来例のリング状Ｑスイッチ光ファイバレーザ装置を示す構成図。
【図５】増幅用光ファイバ中での光パルスの増幅を説明する図。
【符号の説明】
１　　増幅用光ファイバ
２　　ポンピング光源
３　　合波器
４　　双方向光スイッチ
５　　光スイッチ駆動回路
６　　パルス発生装置
７　　光アイソレータ
８　　遅延用光ファイバ
【図１】
2004014855.tif 000003
【図２】
2004014855.tif 000004
【図３】
2004014855.tif 000005
【図４】
2004014855.tif 000006
【図５】
2004014855.tif 000007